(57)【要約】【課題】アクション部品の軽量性および高剛性を両立させるとともに、アクションのばらつきを低減することができるピアノのアクションを提供する。【解決手段】鍵２の押鍵に伴って作動し、ハンマー３を回動させることにより、打弦を行わせるピアノのアクション１であって、アクション１が互いに連結された複数のアクション部品４、５、６を含み、複数のアクション部品４、５、６の少なくとも１つが、少なくとも一部を断面コ字状に折り曲げた炭素繊維シートで構成されている。また、ハンマー３が、中空筒状の炭素繊維で構成され、両端部にねじ部１４ｂ、１４ｂが形成されたハンマーシャンク１４と、ハンマーシャンク１４の一方のねじ部１４ｂにねじ込まれたハンマーヘッド１５と、ハンマーシャンク１４の他方のねじ部１４ｂにねじ込まれるとともに、シャンクフレンジ１６に回動自在に支持される連結部材１４ａと、を備える。【選択図】  図２
2004226949.tif 000002
【特許請求の範囲】
【請求項１】
鍵の押鍵に伴って作動し、ハンマーを回動させることにより、打弦を行わせるピアノのアクションであって、
当該アクションが互いに連結された複数のアクション部品を含み、
当該複数のアクション部品の少なくとも１つが、少なくとも一部を断面コ字状に折り曲げた炭素繊維シートで構成されていることを特徴とするピアノのアクション。
【請求項２】
鍵の押鍵に伴って作動し、ハンマーを回動させることにより、打弦を行わせるピアノのアクションであって、
前記ハンマーが、
中空筒状の炭素繊維で構成され、両端部にねじ部がそれぞれ形成されたハンマーシャンクと、
当該ハンマーシャンクの一方の前記ねじ部にねじ込まれたハンマーヘッドと、前記ハンマーシャンクの他方の前記ねじ部にねじ込まれるとともに、シャンクフレンジに回動自在に支持される連結部材と、を備えることを特徴とするピアノのアクション。
【請求項３】
前記連結部材が合成樹脂で構成されていることを特徴とする、請求項２に記載のピアノのアクション。
【請求項４】
前記連結部材が炭素繊維を含有した合成樹脂で構成されていることを特徴とする、請求項２に記載のピアノのアクション。
【発明の詳細な説明】
【０００１】
【発明の属する技術分野】
本発明は、鍵の押鍵に伴って作動し、ハンマーを回動させることにより、打弦を行わせるピアノのアクションに関する。
【０００２】
【従来の技術】
従来のこの種のアクションとして、例えば特許文献１に開示されたものが知られている。この従来技術は、アクションのうちのハンマーに関するものであり、そのハンマーシャンクが、木材から成る中実の芯材と、その外周面の少なくとも一部を被覆する炭素繊維強化合成樹脂と、から構成されている。それにより、ハンマーシャンクの比重を保ちながら、その曲げ剛性の向上を図るようにしている。
【０００３】
また、図９は、従来の一般的なグランドピアノのアクションを示している。このアクション５１は、回動自在のハンマー５３、ウィッペン５４、レペティションレバー５５およびジャック５６などを備えている。ハンマー５３は、前後方向に延びるハンマーシャンク６４と、その先端部（後端部）に取り付けたハンマーヘッド１５などで構成されており、ハンマーシャンク６４の基端部（前端部）において、ハンマーシャンクレール２３にねじ止めしたシャンクフレンジ６６に、回動自在に取り付けられている。
【０００４】
ウィッペン５４は、ウィッペンレール２２にねじ止めしたウィッペンフレンジ７４に回動自在に取り付けられるとともに、鍵２の後部に載置されている。また、レペティションレバー５５およびジャック５６は、ウィッペン５４に回動自在に取り付けられるとともに、レペティションスプリング７によって復帰方向（同図の反時計方向）に付勢されている。上記の構成要素のうち、ハンマーシャンク６４は中実の木材で構成されている。また、ウィッペン５４、レペティションレバー５５およびジャック５６は、木材または合成樹脂で構成されている。さらに、シャンクフレンジ６６およびウィッペンフレンジ７４も、木材や合成樹脂などで構成されている。
【０００５】
レペティションレバー５５の前部には、上下方向に貫通するジャック案内孔５５ａが形成されており、このジャック案内孔５５ａの付近に、シャンクローラ８を介してハンマー５３のハンマーシャンク６４が載置されている。一方、ジャック５６は、Ｌ字状に形成されており、上下方向に延びるハンマー突上げ部の先端部が、レペティションレバー５５のジャック案内孔５５ａに、これに沿って移動自在に係合している。
【０００６】
さらに、鍵２の後端部にはバックチェック８０が設けられている。このバックチェック８０は、鍵２に立設されたワイヤー３１と、その先端部にねじ込まれた、木材などから成るバックチェック本体８２と、その前面に順に貼り付けられたフェルト３３および皮革シート３４で構成されている。また、鍵２の前部には、鍵重り（図示せず）が取り付けられており、この鍵重りとアクション５１との重さのバランスによって、鍵２のタッチ重さが調整される。
【０００７】
図９に示す離鍵状態から鍵２が押鍵されると、ウィッペン５４が突き上げられることにより回動し、レペティションレバー５５およびジャック５６がウィッペン５４と一緒に上方に移動する。これに伴い、レペティションレバー５５が、シャンクローラ８を摺動させながらこれを介してハンマー５３を押し上げ、上方に回動させる。次いで、レペティションレバー５５がドロップスクリュー９に係合することにより、ジャック５６がシャンクローラ８を介してハンマー５３を突き上げる。その後、ハンマー５３が、上方の弦Ｓを打弦する直前まで回動した時点で、ジャック５６が、レギュレーティングボタン１０に係合することによって回動し、シャンクローラ８から抜ける。これにより、ハンマー５３は、ジャック５６および鍵２との連結を解かれ、自由回動状態で弦Ｓを打弦する。
【０００８】
打弦の後、ハンマー５３は下方に自由回動し、バックチェック８０の前面に係止されることによって、それ以上の下方への回動が阻止される。また、その後に鍵２が離鍵され、ある程度まで戻されたタイミングで、レペティションレバー５５が作動し始め、レペティションスプリング７のばね力で反時計方向に復帰回動することによって、シャンクローラ８を摺動させながら押し上げる。これにより、ジャック５６が、レペティションスプリング７のばね力で反時計方向に復帰回動し、もとの位置に戻ることによって、鍵２が完全に戻らなくても、次の打弦を行うことが可能になり、同じ弦Ｓをハンマー５３で連打できるので、同じ鍵２を連続して速く叩く、トリルのような連打奏法を行うことが可能になる。
【０００９】
【特許文献１】
特開昭５１−１３０３９１号公報（第３図）
【００１０】
【発明が解決しようとする課題】
上述したように、図９に示す従来のアクション５１では、ウィッペン５４、レペティションレバー５５、ジャック５６やハンマーシャンク６４などのアクション部品として、木材が用いられている。これは、これらのアクション部品は、打鍵エネルギーを弦Ｓに伝達するための回動部品として用いられることから、軽量でかつ剛性が高いことが好ましいのに対し、木材は、比較的軽量であるとともに、軽量でありながら剛性が高く、アクション部品に適しているからである。しかし、その一方で、木材は、均質性に乏しく、異方性を有するため、重量および剛性などの特性のばらつきが大きいとともに、残留応力によるねじれなどの変形が生じやすいという欠点がある。また、乾湿に対する寸法安定性が低く、それによるねじれなどの変形も生じやすい。このため、組立時や長年の使用に伴い、アクションのばらつきが生じやすく、これを調整するための煩雑な調整作業が必要になってしまう。
【００１１】
このため、木材の代わりに金属や合成樹脂で構成したアクション部品も、従来知られている。しかし、これらの金属や合成樹脂は、木材と比較して一般に、重量を同等にすると剛性が低くなり、逆に剛性を同等にすると重量が重くなるため、軽量でかつ高剛性であるという木材の利点が得られなくなってしまう。また、前述した従来技術は、ハンマーシャンクの芯材が中実の木材で構成されているので、その軽量化を十分に達成できないとともに、木材の外周面の少なくとも一部を炭素繊維強化合成樹脂で被覆するにすぎないので、木材の前述した欠点を十分に解消することはできない。
【００１２】
本発明は、このような課題を解決するためになされたものであり、アクション部品の軽量性および高剛性を両立させることができるとともに、アクションのばらつきを低減することができるピアノのアクションを提供することを目的とする。
【００１３】
【課題を解決するための手段】
この目的を達成するために、請求項１に係る発明は、鍵の押鍵に伴って作動し、ハンマーを回動させることにより、打弦を行わせるピアノのアクションであって、アクションが互いに連結された複数のアクション部品を含み、複数のアクション部品の少なくとも１つが、少なくとも一部を断面コ字状に折り曲げた炭素繊維シートで構成されていることを特徴とする。
【００１４】
このピアノのアクションによれば、これを構成する複数のアクション部品の少なくとも１つが、炭素繊維シートで構成され、この炭素繊維シートは、所定の形状を有するよう、その少なくとも一部が断面コ字状に折り曲げられている。このように構成されたアクション部品は、基本的には、折り曲げた炭素繊維シートによって中空状に形成されているので、比較的軽量であり、また、炭素繊維を素材としているので、軽量でありながら高い剛性を有する。したがって、木材で構成した場合と同様、アクション部品に要求される軽量性および高剛性という条件を十分に満たすことができる。また、アクション部品が炭素繊維で構成されるので、その剛性や重量などの特性のばらつきが小さいとともに、高い寸法安定性および保形性を有する。その結果、アクションのばらつきを低減でき、その調整作業を省略または簡略化することができる。
【００１５】
また、前記目的を達成するため、請求項２に係る発明は、鍵の押鍵に伴って作動し、ハンマーを回動させることにより、打弦を行わせるピアノのアクションであって、ハンマーが、中空筒状の炭素繊維で構成され、両端部にねじ部がそれぞれ形成されたハンマーシャンクと、ハンマーシャンクの一方のねじ部にねじ込まれたハンマーヘッドと、ハンマーシャンクの他方のねじ部にねじ込まれるとともに、シャンクフレンジに回動自在に支持される連結部材と、を備えることを特徴とする。
【００１６】
このピアノのアクションによれば、そのハンマーのハンマーシャンクが、中空筒状の炭素繊維で構成されるので、ハンマーシャンクに要求される軽量性および高剛性という条件を十分に満たすことができるとともに、ハンマーシャンクの剛性や重量などの特性のばらつきを低減できるとともに、高い寸法安定性および保形性を確保することができる。また、ハンマーシャンクの両端部にあらかじめ形成したねじ部に、ハンマーヘッドおよび連結部材がそれぞれねじ込まれ、取り付けられるので、これらの取付作業を、接着剤などを用いることなく容易に行えるとともに、取付後におけるこれらの部品とハンマーシャンクとの位置関係の調整も容易に行うことができる。また、ハンマーシャンクを中空筒状に形成しても、これを連結部材を介してシャンクフレンジに支障なく支持させることができる。
【００１７】
また、請求項３に係る発明は、請求項２のピアノのアクションにおいて、連結部材が合成樹脂で構成されていることを特徴とする。
【００１８】
この構成によれば、連結部材が、合成樹脂で構成されていて、乾湿などに対する寸法安定性や保形性に優れているので、これを木材で構成した場合の、乾湿による連結部材の伸縮やハンマーシャンクの緩みなどの不具合を、確実に回避することができる。
【００１９】
請求項４に係る発明は、請求項２のピアノのアクションにおいて、連結部材が炭素繊維を含有した合成樹脂で構成されていることを特徴とする。
【００２０】
この構成によれば、連結部材を合成樹脂で構成することによる、上述した請求項３の発明の利点をそのまま得ることができる。これに加えて、この合成樹脂が炭素繊維を含有することによって、連結部材を補強し、ハンマーシャンク全体の剛性をさらに高めることができ、それにより、ハンマーシャンクに要求される軽量性および高剛性という条件をさらに十分に満たすことができる。
【００２１】
【発明の実施の形態】
以下、図面を参照しながら、本発明の好ましい実施形態を詳細に説明する。図１は、本発明の一実施形態によるグランドピアノのアクション１を示している。
このアクション１は、すでに説明した従来のアクション５１と比較し、基本的な構成は同じで、ハンマー３、ウィッペン４、レペティションレバー５およびジャック６などの構成が異なるので、同じ構成の部品については同じ符号を用いて説明を行うものとする。
【００２２】
このアクション１は、鍵２を載置する筬（図示せず）の左右端部にそれぞれ設けたブラケット２１（図１に一方のみ図示）に取り付けられている。左右のブラケット２１、２１間には、ウィッペンレール２２およびハンマーシャンクレール２３が渡されており、このウィッペンレール２２にねじ止めした各ウィッペンフレンジ２４に、ウィッペン４の後端部が回動自在に取り付けられている。
【００２３】
図２に示すように、各ウィッペン４は、図９の従来のウィッペン５４と同じ所定の側面形状を有しており、すなわち、前後方向に延びる本体部４ａと、本体部４ａの下側のヒール部４ｂと、本体部４ａの中央部から上方に延びる鉛直部４ｃを一体に備えている。また、ウィッペン４は、炭素繊維シートを折り曲げることにより、その全体が上方が開放した断面コ字状に形成されている。このようなウィッペン４の加工は、炭素繊維シートを所定の形状に切断した後にコ字状に折り曲げることによって、あるいは折曲げ後に所定の形状に切断することによって、容易に行うことが可能である。また、ウィッペン４の左右の壁部には、本体部４ａの前後の端部と鉛直部４ｃの上端部および中央部に、ジャック６、ウィッペンフレンジ２４、レペティションレバー５およびレペティションスプリング７をそれぞれ取り付けるための取付孔４ｄ、４ｅ、４ｆ、４ｇが、互いに対向するように形成されている。以上の構成のウィッペン４は、対応する鍵２の上面後部に設けられたキャプスタンボタン２５に、ヒール部４ｂを介して載っている。
【００２４】
ウィッペン４を支持するウィッペンフレンジ２４もまた、炭素繊維シートで構成されており、図３に示すように、本体部２４ａと、本体部２４ａの上端部に折曲げ形成された断面コ字状の取付部２４ｂとを一体に備えている。本体部２４ａの中央には孔２４ｃが形成されており、ウィッペンフレンジ２４は、この孔２４ｃを介して、ウィッペンレール２２にねじ止めされている。また、取付部２４ｂの上部には、上方に開放する切欠２４ｄが形成され、左右の壁部には、取付孔２４ｅ、２４ｅが互いに対向するように形成されている。ウィッペン４は、その後端部を切欠２４ｄに通した状態で、取付孔２４ｅ、２４ｅを介して取付部２４ｂに回動自在に取り付けられている。
【００２５】
レペティションレバー５もまた、炭素繊維シートで構成されており、図４に示すように、前後方向に延びる細長い本体部５ａと、本体部５ａの前側に連なる摺接部５ｂと、本体部５ａの中央部に折曲げ形成された断面コ字状の取付部５ｃを一体に備えている。摺接部５ｂは、本体部５ａよりも幅が広く、前側で折り返されており、折り返された上下の部分に、前後方向に延びるジャック案内孔５ｄ、５ｄが形成されている。また、取付部５ｃの左右の壁部には、取付孔５ｅ、５ｅ（１つのみ図示）が互いに対向するように形成されている。レペティションレバー５は、その取付部５ｃがウィッペン４の鉛直部４ｃの左右の壁部間に係合した状態で、取付孔５ｅおよびウィッペン４の前述した取付孔４ｇを介して、ウィッペン４に回動自在に取り付けられている。
【００２６】
また、図１に示すように、摺接部５ｂの上面には、ジャック案内孔５ｄよりも前側の位置に、レバースキン２９が貼り付けられている。さらに、本体部５ａの後端部には、レバースクリュー２７が進退自在に螺合しており、その下端部にレバーボタン２８が一体に設けられている。また、レペティションレバー５は、ウィッペン４に取付孔４ｇを介して取り付けたレペティションスプリング７によって、復帰方向（図１の反時計方向）に付勢されている。
【００２７】
ジャック６もまた、炭素繊維シートで構成されており、図５に示すように、上下方向に延びるハンマー突上げ部６ａと、その下端部から前方に延びるレギュレーティングボタン当接部６ｂから、Ｌ字状に形成されており、その角部が折曲げ形成された断面コ字状の取付部６ｃになっている。また、ハンマー突上げ部６ａの上端部は、カール状に折り返され、レペティションレバー５のジャック案内孔５ｄに前後方向に移動自在に係合するとともに、離鍵状態においてはシャンクローラ８と微小な間隔を存して対向している。また、レギュレーティングボタン当接部６ｂの先端部は、後述するレギュレーティングボタン１０に支障なく係合できるよう、上方に凸に曲げられている。さらに、ジャック６は、上述したレペティションスプリング７によって、復帰方向（図１の反時計方向）に付勢されている。
【００２８】
また、ジャック６のハンマー突上げ部６ａの中間部には、ボタン取付孔６ｄが形成されており、このボタン取付孔６ｄに、ジャックボタンスクリュー１１が進退自在に螺合している。ジャックボタンスクリュー１１の先端部には、ジャックボタン１２が一体に設けられており、このジャックボタン１２は、離鍵状態では、ウィッペン４に立設されたスプーン１３に当接している。このジャックボタンスクリュー１１を回すことによって、離鍵状態におけるジャック６の角度位置が調整される。
【００２９】
さらに、鍵２の後端部にはバックチェック３０が設けられている。このバックチェック３０は、鍵２に立設されたワイヤー３１と、その先端部にねじ込まれたバックチェック本体３２を備えている。図６に示すように、このバックチェック本体３２もまた、所定の側面形状に折曲げ形成した炭素繊維シートで構成されており、その前面に、フェルト３３および皮革シート３４が順に貼り付けられている。また、バックチェック本体３２の下壁には、ワイヤー３１をねじ込むためのねじ孔３２ａが形成されている。
【００３０】
一方、図７に示すように、ハンマー３は、前後方向に延びるハンマーシャンク１４と、その先端部に取り付けたハンマーヘッド１５と、ハンマーシャンク１４の基端部に取り付けた連結部材１４ａで構成されている。ハンマーシャンク１４は、中空筒状の炭素繊維で構成されており、その両端部にねじ部１４ｂ、１４ｂが形成されている。なお、このような中空筒状の炭素繊維は、炭素繊維シートを丸め、その両端を接合することによって、容易に作製することができる。また、そのようにして形成されたハンマーシャンク１４は、その見かけ比重が例えば０．２４〜０．２７で、非常に軽量であるとともに、高い剛性を有する。ハンマーヘッド１５は、ハンマーウッド１５ａと、その先端部に巻き付けられたハンマーフェルト１５ｂで構成され、ハンマーウッド１５ａに形成された孔１５ｃに、ハンマーシャンク１４の一方のねじ部１４ｂをねじ込むことによって、ハンマーシャンク１４に進退自在に取り付けられている。
【００３１】
また、連結部材１４ａは、ＡＢＳなどの合成樹脂で構成されており、その後部にあらかじめ形成したねじ孔１４ｃを、ハンマーシャンク１４の他方のねじ部１４ｂにねじ込むことによって、ハンマーシャンク１４に進退自在に取り付けられている。連結部材１４ａの前部は左右に二股に分岐しており、この二股部に取付孔１４ｄ、１４ｄが互いに対向するように形成されている。ハンマーシャンク１４は、これらの取付孔１４ｄを介して、ハンマーシャンクレール２３にねじ止めしたシャンクフレンジ１６に、回動自在に取り付けられている。ハンマーシャンク１４の下面の所定位置には、円柱状のシャンクローラ８が取り付けられており、このシャンクローラ８は、レペティションレバー５の摺接部５ｂに摺接している。
【００３２】
上記のシャンクフレンジ１６もまた、炭素繊維シートで構成されており、図８に示すように、前後方向に延びる本体部１６ａと、本体部１６ａの前後の端部にそれぞれ折曲げ形成された断面コ字状の嵌合部１６ｂおよび取付部１６ｃを一体に備えている。本体部１６ａには孔１６ｄが形成されており、シャンクフレンジ１６は、嵌合部１６ｂがハンマーシャンクレール２３に嵌合した状態で、孔１６ｄを介してハンマーシャンクレール２３にねじ止めされている。また、取付部１６ｃの左右の壁部には、取付孔１６ｅ、１６ｅ（１つのみ図示）が互いに対向するように形成されている。ハンマーシャンク１４は、連結部材１４ａの二股部が取付部１６ｃに係合した状態で、連結部材１４ａの取付孔１４ｄおよび上記の取付孔１６ｅを介して、シャンクフレンジ１６に回動自在に取り付けられている。また、シャンクフレンジ１６にはねじ孔１６ｆが形成されており、このねじ孔１６ｆにドロップスクリュー９が進退自在にねじ込まれ、レバースキン２９を貼り付けたレペティションレバー５の前端部と所定の間隔をもって対向している。
【００３３】
また、ハンマーシャンクレール２３の下面には、レギュレーティングレール１７がねじ止めされ、このレギュレーティングレール１７の下面に、レギュレーティングボタン１０が進退自在にねじ込まれていて、ジャック６のレギュレーティングボタン当接部６ｂの前端部と所定の間隔をもって対向している。
【００３４】
以上の構成のアクション１の動作は、前述したアクション５１の動作と基本的に同じである。すなわち、図１の離鍵状態から鍵２が押鍵されると、レペティションレバー５およびジャック６がウィッペン４と一緒に上方に移動し、この移動に伴い、レペティションレバー５が、シャンクローラ８を摺動させながらハンマー３を押し上げ、上方に回動させる。次いで、レペティションレバー５がドロップスクリュー９に係合することにより、ジャック６がハンマー３を突き上げる。
その後、ハンマー３が、上方に張られた弦Ｓを打弦する直前まで回動した時点で、ジャック６が、レギュレーティングボタン１０に係合することによって回動し、ジャック６がシャンクローラ８から抜ける。これにより、ハンマー３は、ジャック６および鍵２との連結を解かれ、自由回動状態で弦Ｓを打弦する。
【００３５】
打弦の後、下方に自由回動したハンマー３は、バックチェック５０の前面に係止されることによって、それ以上の下方への回動が阻止される。その後、鍵２が離鍵され、ある程度の深さまで戻されると、レペティションスプリング７により、レペティションレバー５が反時計方向に復帰回動し、レペティションレバー５の摺接部５ｂがシャンクローラ８を摺動させながらこれを押し上げる。これにより、ジャック６が、レペティションスプリング７のばね力によって、反時計方向に復帰回動し、もとの位置に戻ることによって、鍵２が完全に戻らなくても、次の打弦を確実に行うことが可能になる。
【００３６】
以上のように、本実施形態のアクション１によれば、アクション部品としてのウィッペン４、レペティションレバー５およびジャック６が、その全体または一部を断面コ字状に折曲げ形成した炭素繊維シートで構成されているので、木材で構成した従来の場合と同様、回動するアクション部品に特に要求される軽量性および高剛性という条件を十分に満たすことができる。また、これらのアクション部品は、炭素繊維で構成されることから、剛性や重量などの特性のばらつきが小さく、また、高い寸法安定性および保形性を有する。その結果、アクション１のばらつきを低減でき、その調整作業を省略または簡略化することができる。
【００３７】
また、このアクション１では、ハンマー３のハンマーシャンク１４が中空筒状の炭素繊維で構成されるので、ハンマーシャンク１４に要求される軽量性および高剛性という条件を十分に満たすことができるとともに、ハンマーシャンク１４の剛性や重量などの特性のばらつきを低減できるとともに、高い寸法安定性および保形性を確保することができる。さらに、ハンマーシャンク１４の両端部に形成したねじ部１４ｂ、１４ｂに、ハンマーヘッド１５のハンマーウッド１５ａおよび連結部材１４ａをねじ込んで取り付けるので、これらの取付作業を、接着剤を用いることなく容易に行えるとともに、取付後におけるこれらの部品とハンマーシャンク１４との位置関係の調整も容易に行うことができる。また、ハンマーシャンク１４を中空筒状に形成しても、これを連結部材１４ａを介してシャンクフレンジ１６に支障なく支持させることができる。さらに、連結部材１４ａが、ＡＢＳなどの合成樹脂で構成されていて、寸法安定性や保形性に優れているので、これを木材で構成した場合の、乾湿による連結部材の伸縮やハンマーシャンクの緩みなどの不具合を、確実に回避することができる。
【００３８】
なお、この連結部材１４ａを、炭素繊維を含有した合成樹脂で構成してもよい。これにより、連結部材１４ａが炭素繊維で補強されることによって、ハンマーシャンク１４全体の剛性をさらに高めることができ、したがって、ハンマーシャンク１４に要求される軽量性および高剛性という条件をさらに十分に満たすことができる。
【００３９】
また、このアクション１では、ウィッペンフレンジ２４、シャンクフレンジ１６、およびバックチェック３０のバックチェック本体３２もまた、折曲げ形成した炭素繊維シートで構成されている。したがって、これらの不動のアクション部品もまた、軽量性、高剛性、特性の均一性、寸法安定性および保形性などを有するので、ウィッペン４およびハンマーシャンク１４の支持やハンマー３の係止をしっかりと確実に行えるとともに、アクション１の軽量化やばらつきの低減に寄与することができる。
【００４０】
なお、本発明は、説明した実施形態に限定されることなく、種々の態様で実施することができる。例えば、実施形態では、アクション部品のうち、ウィッペン４、レペティションレバー５およびジャック６などを折り曲げた炭素繊維シートで構成しているが、実施形態で示した以外のアクション部品をそのように構成してもよい。また、実施形態は、グランドピアノのアクションの例であるが、本発明は、アップライトピアノのアクションのウィッペンやジャックなどにも適用することが可能である。その他、本発明の趣旨の範囲内で、細部の構成を適宜、変更することが可能である。
【００４１】
【発明の効果】
以上のように、本発明のグランドピアノのアクションは、アクション部品の軽量性および高剛性を両立させることができるとともに、アクションのばらつきを低減することができるなどの効果を有する。
【図面の簡単な説明】
【図１】本発明を適用したグランドピアノのアクションを含む鍵盤装置の側面図である。
【図２】ウィッペンの（ａ）斜視図および（ｂ）線ＩＩｂ−ＩＩｂに沿う断面図である。
【図３】ウィッペンフレンジの斜視図である。
【図４】レペティションレバーの（ａ）平面図および（ｂ）側面図である。
【図５】ジャックの側面図である。
【図６】バックチェックのワイヤーを除く側面図である。
【図７】（ａ）ハンマーの分解側面図および（ｂ）連結部材の平面図である。
【図８】シャンクフレンジの（ａ）側面図および（ｂ）平面図である。
【図９】従来のグランドピアノのアクションを含む鍵盤装置の側面図である。
【符号の説明】
１  アクション
２  鍵
３  ハンマー
４  ウィッペン（アクション部品）
５  レペティションレバー（アクション部品）
６  ジャック（アクション部品）
１４  ハンマーシャンク
１４ａ  連結部材
１４ｂ  ねじ部
１６  シャンクフレンジ（アクション部品）
２４  ウィッペンフレンジ（アクション部品）
Ｓ  弦
【図１】
2004226949.tif 000003
【図２】
2004226949.tif 000004
【図３】
2004226949.tif 000005
【図４】
2004226949.tif 000006
【図５】
2004226949.tif 000007
【図６】
2004226949.tif 000008
【図７】
2004226949.tif 000009
【図８】
2004226949.tif 000010
【図９】
2004226949.tif 000011